(57)【要約】      （修正有）【課題】簡単な構造で容器本体内の定位置に乾燥剤を安定に保形する乾物食品収納用容器を提供する。【解決手段】容器本体１と、乾燥剤５と、抑え部材４との組み合わせを有している。容器本体１の胴部内面には支え部３として凹環状の溝を有している。乾燥剤５は、粒状で、通気性シートのバッグ６内に封止され、容器本体１内に格納される。抑え部材４は、弾力性を有する合成樹脂の円板４ａの周囲に突起４ｂを有し、円板中央部に孔４ｃを開口したものであり、前記乾燥剤５の上から容器本体１内に挿入され、前記支え部３の凹環状の溝に係止させることにより、前記円板４ａは胴部内の定位置に支えられる。円板４ａは、容器本体１内を食品収納空間Ａと、乾燥剤収納空間Ｂとに上下に隔離し、乾燥剤収納空間Ｂ内に格納された乾燥剤５は、前記円板４ａに遮られて乾燥剤収納空間からの脱出が阻止される。【選択図】図１
0003144129.tif 000002
【実用新案登録請求の範囲】
【請求項１】
容器本体と、乾燥剤と、抑え部材との組み合わせを有する乾物食品収納用容器であって、
容器本体は、合成樹脂からなる円形断面の有底の筒であり、上面開口は、蓋で施蓋され、胴部内面に支え部を有し、
前記支え部は、胴部内面内に形成された凹環状の溝であり、
乾燥剤は、粒状で、通気性シートのバッグ内に封止されたものであり、容器本体内に格納され、
前記抑え部材は、弾力性を有する合成樹脂の円板の周囲に、同心状に張り出させたいくつかの突起を有し、円板中央部に孔を開口したものであり、前記乾燥剤を格納した食品容器本体内に前記乾燥剤の上から挿入され、
前記突起は、前記環状溝に係止させることにより、前記抑え部材の円板を胴部内の定位置に支え、
前記円板は、容器本体内を食品収納空間と、乾燥剤収納空間とに上下に区画するものであり、
食品収納空間は、乾燥食品を収容する空間であり、
乾燥剤収納空間は、食品収納空間から隔離されて通気性シートのバッグ内に封止された乾燥剤を格納する空間であり、
乾燥剤収納空間内の乾燥剤は、前記円板に遮られて乾燥剤収納空間からの脱出が阻止されるものであることを特徴とする乾物食品収納用容器。
【考案の詳細な説明】
【技術分野】
【０００１】
本考案は、乾物食品を乾燥保存して食品の風味を保存させる乾燥剤入り乾物食品用容器に関する。
【背景技術】
【０００２】
乾海苔などの乾物食品の収容容器は、通常図３に示すように、塩化ビニル樹脂でダイレクトブロー成形された円形あるいは多角形状の筒型容器１１であり、乾燥剤１２は粒状で、これを通気性シートのバッグ１３内に収容され、このバッグ１３は乾物食品と一緒に筒型容器１１に格納されていた。
【０００３】
ところで、容器１１内に収容された乾物食品は、商品として、出荷、集荷されるが、倉庫への入出庫、トラックへの積載、荷おろしの際に、容器の外部から衝撃や動揺を受けることがある。このようなときに、図３のように乾燥剤入りのバッグ１３を乾物食品と一緒に容器１１内に格納したものでは、乾燥剤入りのバッグ１３と乾燥食品とが、容器１１内で衝突し合い、乾燥食品が破損し、その商品価値を下げるという問題を生じる。
【０００４】
乾燥食品は、例えば乾海苔、味付け海苔に見られるように一般に脆いので、衝撃を受けると、原形を損なうことがある。考案者らは、海苔容器について調査したところ、バッグ１３と乾海苔とを一緒に格納したものでは、海苔の受ける傷が大きく、粉状の海苔が多量に生じて、これが容器底部に堆積する事実を確認した。
【０００５】
乾燥剤入りのバッグ１３を乾物食品と一緒に容器１１内に格納することの問題点を避けるため、乾燥剤入りのバッグ１３を厚紙で抑え、乾燥剤と乾燥食品とを容器１１内で隔離することも考えられるが、たとえ、バッグ１３を厚紙で押さえ、この厚紙を容器１１内に支えたとしても、乾燥剤入りのバッグ１３の重量は、２０ｇ〜３０ｇの重さがあることから、厚紙で支えるだけでは保持強度が不十分であり、結局は、厚紙では抑えきれず、乾燥剤入りのバッグ１３が乾燥食品の収納空間に飛び出して乾燥食品を破損させる危険は避けられなかった。
【０００６】
もし、乾燥剤入りバッグ１３の複数個を容器１１内に格納したときには、乾燥剤入りバッグ１３が互いに衝突し、バッグが破れ、乾燥剤１２自身が容器１１内に散乱することがあるという事実も確認した。また、乾物食品収納容器に関しては、容器自体にも問題のあることが分かった。
【０００７】
すなわち、従来は、海苔容器の材質には、そのほとんどに塩化ビニルが使われている。周知の通り、塩化ビニル樹脂は、燃焼時に猛毒のダイオキシンが発生するので、最近では、このような猛毒を生ずる危険のある樹脂の使用は積極的に自粛し、廃棄処分の容易なポリエチレンテレフタレート樹脂容器の使用が検討されている。
【０００８】
そこで、考案者らは、先に上記のような問題点を解決すべく、乾物食品を収容した容器が外部から衝撃を受け、あるいは動揺しても、収納食品が乾燥剤の影響を受けない乾物収納用容器として、図４に示す容器を開発した。（（特許文献１）、以下、「先行技術」という）
【０００９】
図４を参照すると、先行技術に記載された乾物食品収納容器は、容器本体２１と、乾燥剤容器２２との組み合わせを有している。容器本体２１は、有底の筒であり、その胴部内面には、段差を形成する支え２３を張り出させている。なお、上面開口は、蓋（図示略）で施蓋される。
【００１０】
乾燥剤容器２２は、図５に示すように弾性を有するトレー２４内に粒状または粉状の乾燥剤２５を収容し、通気性を有するシートによる蓋２６で上面開口を塞いだものであり、容器本体２１内に挿入される。トレー２４は、水平方向に張り出したフランジ２７を一体に有している。図４において、乾燥剤容器２２を容器本体２１内に押し込んだときに、フランジ２７は、支え２３を乗り越え、自己復元して、支え２３に係止され、支え２３が抜け止めとなって乾燥剤容器２２は、支え２３の下方空間に安定に保持される。
【００１１】
容器本体２１は、ホットパリソン法より、延伸ブロー成形されたポリエチレンテレフタレート成形体で構成され、容器本体２１を施蓋する蓋２６は、ポリプロピレン樹脂によって製造される。また、乾燥剤容器２２のトレー２４は、ポリプロピレン、ポリエチレン、またはポリスチレンによる樹脂成形体で、フランジ２７は、トレー２４の開口縁に一体形成され、フランジ２７は、樹脂の材料が有する弾性変形並びに自己復帰性を保有している。
【特許文献１】特開２０００−７９９７３号公報
【考案の開示】
【考案が解決しようとする課題】
【００１２】
先行技術においては、乾物食品収納容器が、外部から衝撃を受け、あるいは運搬中、保管中に揺動するようなことがあっても、乾燥剤を収容した容器が浮動したり、あるいは、容器内から乾燥剤が露出することがなく、したがって、乾燥剤容器の衝突による乾物食品の損傷、乾燥剤の接触による乾物食品の汚染の事故は生じず、商品の品質をそのまま長期間保持することができた。
【００１３】
しかしながら、従来の乾燥剤容器のトレーでは、容器の乾燥剤容器収納空間内にしっかりと固定されているものの、容器の口径は、通常１枚の海苔を１／１６の大きさに切断した大きさのものを挿入できる程度の口径に設定されるため、大人の手のひらを差し込むことができず、従って、容器内にトレーを挿し込む際や、使用後、容器本体内から、乾燥剤容器のトレーを取り出すには、器具が必要であって、その脱着の操作は必ずしも容易ではない。
【００１４】
しかも、容器本体と乾燥剤容器のトレー、さらに容器本体を施蓋する蓋は、互いに異なる材質により構成されているために、使用後、廃棄する際の分別にも手間がかかる。さらに、専用の乾燥剤容器２２のトレーを使用するため、コスト高となるという問題がある。
【００１５】
本考案の主な目的は、衝撃や動揺に対して収納食品が乾燥剤の影響を受けることがなく、乾燥剤を容器本体内への乾燥剤の差し込み、あるいは容器本体からの取り出しが容易であり、しかも、容器本体内の定位置に乾燥剤を安定に保持できる乾燥剤入り乾物食品収納用容器を提供することにある。
また、乾燥剤として、市販の乾燥剤を使用することができる乾燥剤入り乾物食品収納用容器を提供することにある。 
【課題を解決するための手段】
【００１６】
上述の目的を達成するため、本案による乾物食品収納用容器においては、容器本体と、乾燥剤と、抑え部材との組み合わせを有する乾物食品収納用容器であって、
容器本体は、合成樹脂からなる円形断面の有底の筒であり、上面開口は、蓋で施蓋され、胴部内面に支え部を有し、
前記支え部は、胴部内面内に形成された凹環状の溝であり、
乾燥剤は、粒状で、通気性シートのバッグ内に封止されたものであり、容器本体内に格納され、
前記抑え部材は、弾力性を有する合成樹脂の円板の周囲に、同心状に張り出させたいくつかの突起を有し、円板の中央部に孔を開口したものであり、前記乾燥剤を格納した食品容器本体内に前記乾燥剤の上から挿入され、
前記突起は、前記環状溝に係止させることにより、前記抑え部材の円板を胴部内の定位置に支え、
前記円板は、容器本体内を食品収納空間と、乾燥剤収納空間とに上下に区画するものであり、
食品収納空間は、乾燥食品を収容する空間であり、
乾燥剤収納空間は、食品収納空間から隔離されて通気性シートのバッグ内に封止された乾燥剤を格納する空間であり、
乾燥剤収納空間内の乾燥剤は、前記円板に遮られて乾燥剤収納空間からの脱出が阻止されるものである。
なお、円板の中央の孔だけでは、食品収納空間と、乾燥剤収納空間との間の通気性が十分に確保できないときには、板面要所に適宜開口された小孔を有する円板を用いることができる。
【考案の効果】
【００１７】
本考案によれば、使用中に抑え部材が浮き上がって、食品容器内の商品を傷つけることがなく、簡単な構造で容器本体内の定位置に乾燥剤を安定に保持でき、抑え部材の脱着が容易なため、使用後、廃棄するときに食品容器と乾燥剤を容易に分離することができる。また、抑え部材の材質を、食品容器本体を施蓋する蓋の材質と同じポリプロピレン樹脂（ＰＰ樹脂）を用いることによって、廃棄時の分別が容易となる。
【考案を実施するための最良の形態】
【００１８】
以下に、本考案の実施の形態を図によって説明する。
図１は、本考案による乾物食品収納用容器の断面図、図２は、乾物食品収納用容器の容器本体内に挿し込む抑え部材と乾燥剤との組を示す図である。 
【００１９】
図１（ａ）、（ｂ）において、食品容器本体１は、ポリエチレンテレフタートからなる円形断面の無蓋有底の筒であり、上面開口は、ポリプロピレン樹脂（ＰＰ樹脂）からなる蓋２で施蓋される。本考案において、食品容器本体１の筒の胴部には、外周に張り出して内面に少なくとも１重の凹環状の溝を形成する支え部３を設けている。支え部３は、後述する抑え部材４を所望の位置に係止するものである。凹環状の溝を上下２段以上設けたときには、乾燥剤の大きさによって、抑え部材４の係止位置を上下に選定できる。
【００２０】
本案において、乾燥剤５には、図２に示すようなガゼット状にシールされた角型のバッグ６に粒状乾燥剤を封止したものを用いるが、限られたスペースの中に、必要な量の乾燥剤を確保することができるものであれば、その形状や大きさを問わない。乾燥剤５は、抑え部材４の挿入に先立って食品容器本体１内に収容する。
【００２１】
抑え部材４は、ポリプロピレン樹脂（ＰＰ樹脂）製の円板４ａで、その周囲には、同心状に張り出した少なくとも２個の突起４ｂを有し、円板４ａの中央には、円形の孔４ｃが開口されている。この実施例においては、円板４ａの周面４箇所に突起４ｂを設けた例を示している。
【００２２】
前記突起４ｂは、器具あるいは、指を使って抑え部材４を容器本体１内に挿入したときに、自身の有するばね性により変形して支え部３の溝内に入り、溝内で復元して支え部３に係止され、支え部３に支えられて前記円板４ａを胴部内の定位置に保持するためのものである。
【００２３】
前記円板４ａは、支え部３に係止された突起４ｂに支えられて容器本体１内を食品収納空間Ａと、乾燥剤収納空間Ｂとに上下に区画する。食品収納空間Ａは、焼き海苔などの乾燥食品を収容する空間であり、乾燥剤収納空間Ｂは、通気性シートのバッグ６内に封止された乾燥剤５を格納する空間となる。食品収納空間Ａ内に収容される焼き海苔などの乾燥食品は、図示を省略した。前記乾燥剤収納空間Ｂ内に格納された乾燥剤のバッグ６は、円板４ａの板面に遮られて食品収納空間Ａから隔離され、乾燥剤収納空間Ｂからの脱出が阻止される。前記円板４ａの中央の円形の孔４ｃは、食品収納空間Ａと、乾燥剤収納空間Ｂとの間の通気性を確保するための連通孔であるが、もしその開口面積だけでは通気性が不十分のときには、板面要所に適宜開口された小孔を有する円板を用いることができ、小孔としては、板面全体に開口した網目、あるいは抜打ちの図柄のようなものであってもよい。
【００２４】
円板４ａの中央に開けられた孔４ｃは、使用後に用済みとなった容器本体２内から乾燥剤５を取り出すに先立って、抑え部材４を取り外す際に、器具あるいは指を孔内に挿込み、孔の開口縁を引っ掛けてこれを容器本体１から引き出すためのものである。
【００２５】
上記実施の形態において、上記孔は、円板中央部に形成されているが、必ずしも中央に限らず、任意の形状または２以上に分けて開口することができ、さらにｍ必要により網目や打ち抜きの図柄を板面に有する円板を用いることにより、食品収納空間と、乾燥剤収納空間との間の通気性を十分に確保し、あわせて抑え部材の軽量化を図ることができる。
【産業上の利用可能性】
【００２６】
本考案によれば、焼き海苔に限らず、乾燥状態を保持する必要のある乾物類、せんべいなどの菓子類、シラスなどの魚介類の食品販売用容器に広く利用することができる。
【図面の簡単な説明】
【００２７】
【図１】（ａ）は、本考案の実施形態による食品容器本体の断面図である。（ｂ）は、（ａ）のｂ−ｂ線断面図である。
【図２】本考案の実施形態による抑え部材と乾燥剤との組み合わせを示す図である。
【図３】従来の食品容器の一例を示す断面である。
【図４】先行技術に係る食品容器本体の断面図である。
【図５】先行技術に係る乾燥剤容器の断面図である。
【符号の説明】
【００２８】
１  容器本体
２  蓋
３  支え部
４  抑え部材
４ａ  円板
４ｂ  突起
４ｃ  孔
５  乾燥剤
６  バッグ
【図１】
0003144129.tif 000003
【図２】
0003144129.tif 000004
【図３】
0003144129.tif 000005
【図４】
0003144129.tif 000006
【図５】
0003144129.tif 000007